(57)【要約】【課題】蓄熱槽内の蓄熱密度を確保しつつ、配管内の圧損の上昇や、配管の詰まりを回避する。【解決手段】蓄熱槽１００の上部には蓄熱熱交換器にＴＢＡＢ水和物水溶液を輸送する第１輸送配管１０１ａが連結され、蓄熱槽１００の下部には蓄熱熱交換器で生成されたＴＢＡＢ水和物スラリーを輸送する第２輸送配管１０１ｂが連結されている。制御部５００により供給ポンプ１０２の流量を制御し、蓄熱槽１００の下部にＴＢＡＢ水和物スラリーの固相率が４０％〜６０％の範囲である潜熱密度の高いスラリー層を蓄積し、蓄熱槽１００の上部に固相率が１５％以下である流動性の高いＴＢＡＢ水和物スラリー層を形成する。【選択図】図１
2014037960.tif 000002
【特許請求の範囲】
【請求項１】
水和物スラリー蓄熱装置であって、
臭化テトラｎ−ブチルアンモニウム水和物を溜める蓄熱槽と、冷媒回路を有する冷熱源と、蓄熱熱交換器と、第１配送管と、第２配送管と、を備え、
前記第１配送管の一端は前記蓄熱層の上部に連結され、他端は前記蓄熱熱交換器に連結され、
前記第２配送管の一端は前記蓄熱層の下部に連結され、他端は前記蓄熱熱交換器に連結され、
前記第１輸送配管には、前記蓄熱槽の上部から前記蓄熱熱交換器に水和物水溶液を輸送する輸送ポンプが設けられ、
前記第２輸送配管は、前記蓄熱熱交換器から前記蓄熱槽の下部に水和物スラリーを輸送する、
水和物スラリー蓄熱装置。
【請求項２】
前記蓄熱槽内の水和物の固相率を検知する固相率検知部と、
前記固相率検知部及び前記輸送ポンプと電気連結されている制御部と、をさらに備え、
前記制御部は前記固相率検知部の検知結果に基づいて前記輸送ポンプの流量を制御して水和物スラリーの固相率を制御する、
請求項１に記載の水和物スラリー蓄熱装置。
【請求項３】
前記第２配管は、前記蓄熱槽の底面からの高さが０〜５０％離れた位置に配置されている、
請求項１または２に記載の水和物スラリー蓄熱装置。
【請求項４】
前記固相率検知部は少なくとも二つであり、そのうち、前記第１固相率検知部は前記蓄熱層において前記第１配送管の高さに対応する位置に設置され、前記第２固相率検知部は前記蓄熱層において前記第２配送管の高さに対応する位置に設置されている、
請求項２に記載の水和物スラリー蓄熱装置。
【請求項５】
蓄熱槽の上部から臭化テトラｎ−ブチルアンモニウムを含有する水和物水溶液を取り出し、蓄熱熱交換器に輸送し、蓄熱熱交換器において冷熱源からの冷媒と蓄熱槽からの臭化テトラｎ−ブチルアンモニウム溶液または水和物スラリーとの間で熱交換が行われ、水和物水溶液を冷却させて水和物スラリーを製造し、
前記蓄熱熱交換器から排出された水和物スラリーを前記蓄熱槽の下部に輸送し、
前記蓄熱槽の上部に固相率が１５％以下の第１スラリー層を生成させ、前記蓄熱槽の下部に固相率が４０％以上の第２スラリー層を蓄積させる、
水和物スラリーの蓄熱方法。
【請求項６】
前記蓄熱槽と前記蓄熱熱交換器との間の水和物輸送配管における水和物の流量を制御し、水和物の流量を前記蓄熱槽における水和物が自然沈降するに必要な流量になるように制御する、
請求項５に記載の水和物スラリーの蓄熱方法。
【請求項７】
請求項１〜４のいずれか1項に記載の水和物スラリー蓄熱装置と、
臭化テトラｎ−ブチルアンモニウム水和物を溜める蓄熱槽と、
冷媒を圧縮する圧縮機と、少なくとも冷媒の凝縮器として機能する熱源側熱交換器と、冷媒を減圧する第１及び第２膨張機構と、少なくとも冷媒の蒸発器として機能する利用側熱交換器と、を含む冷媒回路と、
を備えた、水和物蓄熱式空気調和システム。
【請求項８】
前記空調システムは、前記圧縮機から吐出される冷媒を前記熱源側熱交換器において凝縮させて前記第１膨張機構によって減圧した後に前記蓄熱熱交換器において蒸発させることによって前記蓄熱槽内に水和物スラリーを生成して冷熱を蓄える蓄熱運転と、前記圧縮機から吐出される冷媒を前記熱源側熱交換器において凝縮させてさらに前記蓄熱熱交換器において冷却して前記第２膨張機構によって減圧した後に前記利用側熱交換器において蒸発させることによって前記蓄熱槽内の水和物を融解して冷熱を利用する蓄熱利用冷房運転と、通常の冷暖房運転と、の三種類の運転状態を実現することができ、且つ前記三種類の運転状態を切り換えることができる、
請求項７に記載の水和物蓄熱式空気調和システム。
【請求項９】
前記冷媒回路は、前記冷媒回路の冷却循環方向を変更することにより、暖房用蓄熱運転と、蓄熱利用デフロスト運転と、通常の暖房運転の三種類の運転状態を切り換えることができる、
請求項８に記載の水和物蓄熱式空気調和システム。
【請求項１０】
前記蓄熱利用冷房運転時において、前記蓄熱槽の上部から前記蓄熱熱交換器に水和物水溶液を輸送し、前記蓄熱熱交換器から前記蓄熱槽の下部に水和物スラリーを輸送する、
請求項８に記載の水和物蓄熱式空気調和システム。
【発明の詳細な説明】
【技術分野】
【０００１】
本発明は、水和物スラリーの蓄熱方法、水和物スラリー蓄熱装置に関する。また、蓄熱槽内に水和物を生成して冷熱を蓄える蓄冷運転と蓄熱槽内の水和物の冷熱を利用する冷熱利用冷房運転とを切り換えることが可能な水和物蓄熱式空気調和システムに関する。
【背景技術】
【０００２】
従来より、深夜電力を利用して夜間に蓄熱材を生成して冷熱を蓄える蓄冷運転と、この蓄熱材に蓄えられた冷熱を昼間の冷房に利用する冷熱利用冷房運転とを切り換えることが可能な冷媒回路を有する蓄熱式空気調和システムが使用されている。このような蓄熱式空気調和システムでは、圧縮機と熱源側熱交換器とを有する熱源ユニットと、利用側熱交換器を有する利用ユニットとが、蓄熱材製造装置を介して接続されている。また、蓄熱材製造装置は、蓄熱材を溜める蓄熱槽と、蓄熱槽内の蓄熱材と冷媒とを熱交換させる蓄熱熱交換器とを有する。
【０００３】
このような蓄熱式空気調和システムとして、蓄熱材として水または氷を使用し、夜間における電力を利用して冷水、また氷を蓄え，この冷水、氷によって昼間における冷房等を行うようにする水蓄熱空気調和システムと、氷蓄熱空気調和システムがある。
【０００４】
しかし、水蓄熱の場合、水の顕熱密度は４．２ｋＪ／ｋｇ・Ｋであり、比較的に低いため、所定の蓄熱量を得るためには、蓄熱材製造装置の容量が大型化し、蓄熱材の循環量を増大させるしかない。
【０００５】
また、氷蓄熱の場合、氷−水の潜熱を利用することができるため、水の顕熱を利用する水蓄熱の場合に比べて蓄熱材製造装置の容量を小さくすることができる。しかし、氷蓄熱システムでは、製氷のために運転温度を低く設定する必要があり、システム全体の成績係数が低下する。また、固体である氷はそのままシステム内で輸送できないため、最終的には低温冷水の顕熱に変化させて冷熱を使用するしかない。
【０００６】
そこで、蓄熱材として氷より高い温度で生成でき、蓄熱密度の高い臭化テトラｎ−ブチルアンモニウム（TBAB）の水和物スラリーを利用する蓄熱装置が知られている。TBAB水和物は、固液二相のスラリーであるため、固液二相流の輸送装置における固相の割合が多くなると、配管の分岐部等で閉塞しやすくなる。そこで、固液二相流輸送経路において、固相により閉塞される恐れのある個所の上流側に気体吹き込み装置を設置し、固相割合の高い固液二相流を輸送してエネルギーの輸送密度を上げる輸送方法が提案されている（特許文献１参照）。
【発明の概要】
【発明が解決しようとする課題】
【０００７】
しかし、固液二相流輸送経路に例えば空気などの気体吹き込み装置を設置する場合、空気圧縮機や空気導入弁などを設置する必要があるため、装置の構造が複雑になり、制御も複雑になる。一方、固液二相流に含まれる固相割合を低めに制御することは、エネルギーの輸送密度が低く、輸送効率の点から好ましくない。
【０００８】
本発明の課題は、蓄熱システムにおける蓄熱密度を確保しつつ、固液二相流輸送経路が固相により閉塞されることを防止することにある。
【課題を解決するための手段】
【０００９】
水和物スラリー蓄熱装置であって、臭化テトラｎ−ブチルアンモニウム水和物を溜める蓄熱槽と、冷媒回路を有する冷熱源と、蓄熱熱交換器と、第１配送管と、第２配送管と、を備え、前記第１配送管の一端は前記蓄熱層の上部に連結され、他端は前記蓄熱熱交換器に連結され、前記第２配送管の一端は前記蓄熱層の下部に連結され、他端は前記蓄熱熱交換器に連結され、前記第１輸送配管には、前記蓄熱槽の上部から前記蓄熱熱交換器に水和物水溶液を輸送する輸送ポンプが設けられ、前記第２輸送配管は、前記蓄熱熱交換器から前記蓄熱槽の下部に水和物スラリーを輸送する。
【００１０】
前記蓄熱槽内の水和物の固相率を検知する固相率検知部と、前記固相率検知部及び前記輸送ポンプと電気連結されている制御部と、をさらに備え、前記制御部は前記固相率検知部の検知結果に基づいて前記輸送ポンプの流量を制御する。
【００１１】
前記第２配管は、前記蓄熱槽の底面からの高さが０〜５０％離れた位置に配置されている。
【００１２】
前記固相率検知部は少なくとも二つであり、そのうち、前記第１固相率検知部は前記蓄熱層において前記第１配送管の高さに対応する位置に設置され、前記第２固相率検知部は前記蓄熱層において前記第２配送管の高さに対応する位置に設置されている。
【００１３】
水和物スラリーの蓄熱方法であって、次のステップを有する：蓄熱槽の上部から臭化テトラｎ−ブチルアンモニウムを含有する水和物水溶液を取り出し、蓄熱熱交換器に輸送し、蓄熱熱交換器において冷熱源からの冷媒と蓄熱槽からの臭化テトラｎ−ブチルアンモニウム溶液または水和物水溶液との間で熱交換が行われ、水和物水溶液を冷却させて水和物スラリーを製造し、前記蓄熱熱交換器から排出された水和物スラリーを前記蓄熱槽の下部に輸送し、前記蓄熱槽の上部に固相率が１５％以下の第１スラリー層を生成させ、前記蓄熱槽の下部に固相率が４０％以上の第２スラリー層を蓄積させる。
【００１４】
水和物スラリーの蓄熱方法は、さらに、前記蓄熱槽と前記蓄熱熱交換器との間の水和物輸送配管における水和物の流量を制御し、水和物の流量を前記蓄熱槽における水和物が自然沈降するに必要な流量になるように制御する。
【００１５】
水和物蓄熱式空気調和システムであって、上記の水和物スラリー蓄熱装置と、冷媒回路とを備える。ここで、冷媒回路は冷媒を圧縮する圧縮機と、少なくとも冷媒の凝縮器として機能する熱源側熱交換器と、冷媒を減圧する第１及び第２膨張機構と、少なくとも冷媒の蒸発器として機能する利用側熱交換器と、を含む。
【００１６】
前記水和物蓄熱式空調システムは、前記圧縮機から吐出される冷媒を前記熱源側熱交換器において凝縮させて前記第１膨張機構によって減圧した後に前記蓄熱熱交換器において蒸発させることによって前記蓄熱槽内に水和物スラリーを生成して冷熱を蓄える蓄熱運転と、前記圧縮機から吐出される冷媒を前記熱源側熱交換器において凝縮させてさらに前記蓄熱熱交換器において冷却して前記第２膨張機構によって減圧した後に前記利用側熱交換器において蒸発させることによって前記蓄熱槽内の水和物を融解して冷熱を利用する蓄熱利用冷房運転と、通常の冷暖房運転と、の三種類の運転状態を実現することができ、且つ前記三種類の運転状態を切り換えることができる。
【００１７】
前記冷媒回路は、前記冷媒回路の冷却循環方向を変更することにより、暖房用蓄熱運転と、蓄熱利用デフロスト運転と、通常の暖房運転の三種類の運転状態を切り換えることができる。
【００１８】
前記蓄熱利用冷房運転時において、前記水和物スラリー蓄熱式空調システムでは、前記蓄熱槽の上部から前記蓄熱熱交換器に水和物水溶液を輸送し、前記蓄熱熱交換器から前記蓄熱槽の下部に水和物スラリーを輸送する。
【００１９】
第１の側面にかかる水和物スラリーの蓄熱方法は、蓄熱槽の上部から臭化テトラｎ−ブチルアンモニウムを含有する水和物水溶液を取り出し、蓄熱熱交換器に輸送し冷却させて水和物スラリーを製造し、蓄熱熱交換器から排出された水和物スラリーを蓄熱槽の下部に輸送し、蓄熱槽の上部に固相率の低い第１スラリー層を生成させ、蓄熱槽の下部に固相率の高い第２スラリー層を蓄積させる方法である。
【００２０】
ここでは、蓄熱材として臭化テトラｎ−ブチルアンモニウム水和物スラリーを製造し、蓄熱材として水または氷を使用する場合と比較して、性能の高い冷熱輸送媒体を得ることができる。
【００２１】
また、蓄熱槽の上部に固相率の低い第１スラリー層を生成させ、蓄熱槽の下部に固相率の高い第２スラリー層を蓄積させている。一方、蓄熱槽の上部から臭化テトラｎ−ブチルアンモニウムを含有する水和物水溶液を取り出して蓄熱熱交換器に輸送し、蓄熱熱交換器から排出された水和物スラリーを蓄熱槽の下部に輸送している。
【００２２】
即ち、蓄熱槽内に水和物スラリー固相率の濃度成層を形成させる。蓄熱槽の上方に流動性の高い希薄層を、下方に潜熱密度の高い濃厚層を生成させ、蓄熱槽の上方より水和物スラリーを取り出し下方へ流入させることにより、蓄熱密度を確保しつつ、配管内スラリーの固相濃度を低レベルに維持することができ、圧損の上昇や、配管の詰まりを回避することができる。
【００２３】
第２の側面に係る水和物スラリー蓄熱方法は、第１側面に係る水和物スラリー蓄熱方法において、第１スラリー層の固相率が１５％以下、第２スラリー層の固相率が４０％以上になるように制御する。
【００２４】
ここで、蓄熱槽上部における第１スラリー層の固相率が１５％以上である場合、いずれの流量条件においても、配管内面に付着する水和物結晶の成長が著しく，配管内に詰まりが発生し、配管内の圧力損失が顕著に上昇する。
【００２５】
ここでは、第１スラリー層の固相率を１５％以下に制御することにより、配管内の圧力損失を抑制することができる。また、第２スラリー層の固相率を４０％以上に制御することにより、水和物スラリー製造システムにおける潜熱密度を確保することができる。
【００２６】
第３の側面に係る水和物スラリー蓄熱方法は、第１側面または第２側面に係る水和物スラリー蓄熱方法において、蓄熱槽と蓄熱熱交換器との間の水和物流路における水和物の流量が、蓄熱槽における水和物が沈降する流量になるように制御する。
【００２７】
ここでは、蓄熱槽と蓄熱熱交換器との間の水和物流路における水和物の流量を制御し、蓄熱槽における水和物が密度差により沈降するように制御することで、濃度分布を形成することができる。
【００２８】
第４の側面に係る水和物スラリー蓄熱装置は、臭化テトラｎ−ブチルアンモニウムの水和物を製造する水和物スラリー蓄熱装置であって、臭化テトラｎ−ブチルアンモニウム水和物を溜める蓄熱槽と、冷媒回路を有する冷熱源と、冷熱源からの冷媒と蓄熱槽からの水和物との熱交換を行う蓄熱熱交換器と、蓄熱槽の上部から蓄熱熱交換器に水和物水溶液を輸送する輸送ポンプを備えた第１輸送配管と、蓄熱熱交換器から前記蓄熱槽の下部に水和物スラリーを輸送する第２輸送配管とを備えている。
【００２９】
ここでは、蓄熱熱交換器において、冷熱源からの冷媒と蓄熱槽からの臭化テトラｎ−ブチルアンモニウム水溶液または水和物スラリーとの間で熱交換を行う。また、蓄熱槽の上方より水和物スラリーを取り出し下方へ流入させることにより蓄熱密度を確保しつつ、配管内スラリーの固相濃度を低レベルに維持することができ、圧損の上昇や、配管の詰まりを回避することができる。
【００３０】
第５の側面に係る水和物スラリー蓄熱装置は、第４側面に係る水和物スラリー蓄熱装置において、輸送ポンプの流量を制御する制御部と、蓄熱槽内の水和物の固相率を検知する検知部とをさらに備え、検知部で測定された水和物の固相率を、第１スラリー層の固相率が１５％以下、第２スラリー層の固相率が４０％以上になるよう、制御部により輸送ポンプの流量を制御する。
【００３１】
蓄熱槽上部における第１スラリー層の固相率が１５％以上である場合、いずれの流量条件においても、ＴＢＡＢ輸送配管内面に付着する水和物結晶の成長が著しく，ＴＢＡＢ輸送配管内に詰まりが発生し、ＴＢＡＢ輸送配管内の圧力損失が顕著に上昇する。
【００３２】
ここでは、第１スラリー層の固相率を１５％以下に制御することにより、ＴＢＡＢ輸送配管内の圧力損失を抑制することができる。また、第２スラリー層の固相率を４０％以上に制御することにより、水和物スラリー製造システムにおける潜熱密度を確保することができる。
【００３３】
また、固相率検知部で水和物の固相率を測定し、固相率に基づいて輸送ポンプの流量を制御し、蓄熱槽と蓄熱熱交換器との間の水和物流路における水和物の流量が、蓄熱槽における水和物が沈降する流量になるように制御する。
【００３４】
ここでは、蓄熱槽と蓄熱熱交換器との間の水和物流路における水和物の流量を制御し、蓄熱槽における水和物が密度差により沈降するように制御することで、濃度分布を形成することができる。
【００３５】
第６の側面に係る水和物スラリー蓄熱装置は、第４側面または第５側面に係る水和物スラリー蓄熱装置において、第２輸送配管は蓄熱槽の底面から所定高さ離れた位置に配置されている。
【００３６】
ここでは、蓄熱槽の底面には、固相率が高い水和物スラリーが蓄積されているため、第２輸送配管を蓄熱槽の底面に連結した場合、蓄熱熱交換器から輸送された水和物スラリーが蓄熱槽の底面に固まり、第２輸送配管から蓄熱槽底面への水和物スラリーの供給部が詰まる恐れがある。ここでは、蓄熱槽の下部に水和物スラリーを輸送する第２輸送配管を蓄熱槽の底面から所定高さ離れた位置に配置することにより、第２輸送配管から蓄熱槽底面への水和物スラリーの供給をスムーズにさせることができる。
【００３７】
第７〜第９の側面に係る水和物蓄熱式空気調和システムは、蓄熱槽と、空気調和装置の冷媒回路とを備えている。ここで、冷媒回路は、冷媒を圧縮する圧縮機と、少なくとも冷媒の凝縮器として機能する熱源側熱交換器と、冷媒を減圧する第１及び第２膨張機構と、少なくとも冷媒の蒸発器として機能する利用側熱交換器と、冷媒と蓄熱槽内の水和物及び水和物スラリーを製造する水溶液とを熱交換させる熱交換器として機能する蓄熱熱交換器とを含み、圧縮機から吐出される冷媒を熱源側熱交換器において凝縮させて第１膨張機構によって減圧した後に蓄熱熱交換器において蒸発させることによって蓄熱槽内に水和物を生成して冷熱を蓄える蓄冷運転と、圧縮機から吐出される冷媒を熱源側熱交換器において凝縮させてさらに蓄熱熱交換器において冷却させ、または圧縮機から吐出される冷媒を蓄熱熱交換器において凝縮させて、第２膨張機構によって減圧した後に利用側熱交換器において蒸発させることによって蓄熱槽内の水和物の冷熱を利用する冷熱利用冷房運転と、及び通常の冷房運転とを切り換えることが可能である。また、蓄熱槽と蓄熱熱交換器とにより、第４〜第６のいずれかの側面に係る水和物スラリー蓄熱装置を構成する。
【００３８】
この水和物蓄熱式空気調和システムでは、蓄冷運転、冷熱利用冷房運転、及び通常の冷房運転を切り換えることができ、深夜電力を利用して夜間に蓄熱材を生成して冷熱を蓄える蓄冷運転と、この蓄熱材に蓄えられた冷熱を昼間の冷房に利用する冷熱利用冷房運転とを切り換えることで、エネルギーの有効利用を図ることができる。
【００３９】
この水和物蓄熱式空気調和システムの冷媒回路は、蓄冷運転、冷熱利用冷房運転、及び通常の冷房運転を切り換えることができるが、冷媒回路の冷媒の循環方向を変更することにより、暖房用蓄熱運転、蓄熱を利用したデフロスト運転、及び通常の暖房運転を切り換えることができる冷媒回路に変更することもできる。
【００４０】
また、蓄熱槽と蓄熱熱交換器とにより、第４〜第６のいずれかの側面に係る水和物スラリー蓄熱装置を構成する。即ち、蓄熱槽の上方より水和物スラリーを取り出し下方へ流入させることにより蓄熱密度を確保しつつ、配管内スラリーの固相濃度を低レベルに維持することができ、圧損の上昇や、配管の詰まりを回避することができる。
【００４１】
第１０の側面に係る水和物蓄熱式空気調和システムは、第７の側面に係る水和物蓄熱式空気調和システムにおいて、蓄熱利用冷房運転時に、蓄熱槽の上部から蓄熱熱交換器に水和物水溶液を輸送し、蓄熱熱交換器から蓄熱槽の下部に水和物スラリーを輸送する。
【００４２】
通常、水和物スラリーの蓄熱利用運転時には、蓄熱槽の下部から固相割合の高い水和物スラリーを取り出し、蓄熱熱交換器に輸送する。その際、輸送配管の閉塞を防止するための装置を別途設けている。
【００４３】
この水和物蓄熱式空気調和システムでは、水和物スラリーの製造時のみならず、蓄熱槽の上部から蓄熱熱交換器に水和物水溶液を輸送し、蓄熱熱交換器から蓄熱槽の下部に水和物スラリーを輸送する。
【００４４】
ここでは、蓄熱槽の上方より水和物スラリーを取り出し下方へ流入させることにより、蓄熱密度を確保しつつ、配管内スラリーの固相濃度を低レベルに維持することができ、圧力損失の上昇や、配管の詰まりを回避することができる。
【発明の効果】
【００４５】
以上の説明に述べたように、本発明によれば、以下の効果が得られる。
【００４６】
蓄熱槽内に水和物スラリー固相率の濃度成層を形成させる。蓄熱槽の上方に流動性の高い希薄層を、下方に潜熱密度の高い濃厚層を生成させ、蓄熱槽の上方より水和物スラリー／水和物水溶液を取り出して蓄熱交換器に輸送し、蓄熱交換器から取り出した水和物スラリーを蓄熱槽の下方へ流入させることにより、蓄熱密度を確保しつつ、配管内スラリーの固相濃度を低レベルに維持することができ、圧損の上昇や、配管の詰まりを回避することができる。
【図面の簡単な説明】
【００４７】
【図１】水和物スラリーの蓄熱装置である。
【図２】蓄熱槽内の水和物スラリーの濃度と温度との関係を表わすグラフである。
【図３】蓄熱槽への水和物スラリー供給濃度と配管内の圧力損失との関係を示すグラブである。
【図４】水和物蓄熱式空気調和システムの通常冷房運転における動作を説明する概略図である。
【図５】水和物蓄熱式空気調和システムの一実施形態にかかる蓄冷運転における動作を説明する概略図である。
【図６】水和物蓄熱式空気調和システムの冷熱利用冷房運転における動作を説明する概略図である。
【発明を実施するための形態】
【００４８】
以下、図面に基づいて、本発明にかかる水和物スラリーの蓄熱方法、水和物スラリー蓄熱装置、及び水和物蓄熱式空気調和システムの実施形態について説明する。
【００４９】
＜水和物スラリー蓄熱装置＞
図１に示す水和物スラリー蓄熱装置１は、臭化テトラｎ−ブチルアンモニウム（ＴＢＡＢ）水和物スラリーを製造する装置であり、主として、蓄熱槽１００と、冷媒回路を有する冷熱源３００と、蓄熱熱交換器４００と、蓄熱熱交換器４００と蓄熱槽１００との間に設けられた供給ポンプ１０２と、蓄熱槽に設けられた水和物固相率を検出する第１センサ１０５と、第２センサ１０６とを備えている。
【００５０】
蓄熱槽１００は、蓄熱材としてのＴＢＡＢ水和物及び／またはＴＢＡＢ水溶液を溜める容器であり、ＴＢＡＢ輸送配管１０１を有する。ＴＢＡＢ輸送配管１０１は、蓄熱槽１００の上部に連結された第１輸送配管１０１ａと、蓄熱槽１００の下部に連結された第２輸送配管１０１ｂとを備えている。第１輸送配管１０１ａには、蓄熱槽１００内のＴＢＡＢ水和物及び／またはＴＢＡＢ水溶液を蓄熱熱交換器４００に輸送するための供給ポンプ１０２が設けられている。
【００５１】
蓄熱熱交換器４００において、冷熱源３００の冷媒と蓄熱槽１００からの水和物との熱交換を行う。冷熱源３００は、冷凍機３０１と冷媒配管３０２とを有している。蓄熱熱交換器４００において、冷媒配管３０２内の冷媒とＴＢＡＢ配管内のＴＢＡＢ水和物及び／またはＴＢＡＢ水溶液と熱交換を行う。
【００５２】
蓄熱熱交換器４００から流出するＴＢＡＢ水和物は、第２輸送配管１０１ｂにより蓄熱槽１００の下部に輸送される。ここで、第１センサ１０５は蓄熱槽の第１輸送配管１０１ａの高さと対応する位置に配置され、第２センサ１０６は蓄熱槽の第２輸送配管１０１ｂの高さと対応する位置に配置されている。
【００５３】
第１センサ１０５、第２センサ１０６、水和物供給ポンプ２００は制御部５００に電気的に連結されている。
【００５４】
＜水和物スラリーの蓄熱方法＞
まず、蓄熱槽１００内にＴＢＡＢ水溶液を収容する。冷凍機３０１を起動すると、冷凍機３０１で冷却された冷媒（例えば、冷水）が冷媒配管３０２を介して蓄熱熱交換器４００に送られる。一方、供給ポンプ１０２を起動すると、蓄熱槽１００の上部からのＴＢＡＢ水溶液は、第１輸送配管１０１ａにより蓄熱熱交換器４００に輸送され、冷媒配管３０２内の冷媒と熱交換が行われる。
【００５５】
第１輸送配管１０１ａから送られたＴＢＡＢ水溶液は、蓄熱熱交換器４００において冷却されて水和物に相変化が生じ、水和物スラリーが生成される。水和物スラリーは、第２輸送配管１０１ｂにより蓄熱槽１００に輸送される。この過程が繰り返され、冷却が進むと水和物スラリーの固相率が上昇する。
【００５６】
図２に示すように、初期濃度が１０％〜３０％のいずれの濃度範囲においても、ＴＢＡＢ水溶液を冷却すると、水和物スラリーの固相率が上昇する。固相率が上昇した水和物スラリーは、第２輸送配管１０１ｂにより蓄熱槽１００の下部に輸送され、密度差により水和物スラリーが沈降し、蓄熱槽１００内において濃度分布が形成される。
【００５７】
ここでは、制御部５００により供給ポンプ１０２の流量を制御して、蓄熱槽１００における水和物を沈降させる。また、ＴＢＡＢ配管内の水和物の流量を制御することにより、蓄熱槽の第１輸送配管１０１ａの高さと対応する位置に配置された第１センサ１０５により検出される固相率が１５％以下に維持し、蓄熱槽の第２輸送配管１０１ｂの高さと対応する位置に配置されている第２センサ１０６により検出される固相率が４０％以上に維持するように制御する。図１に示すように、Ａは固相率＜１５％、Ｂは固相率＞４０％を示す。
【００５８】
その結果、蓄熱槽１００の下部には、図２の符号Ｈで示す水和物スラリーの固相率が４０％〜６０％の範囲である潜熱密度の高い第１スラリー層が蓄積される。一方、蓄熱槽１００の上部には、図２の符号Ｌで示す固相率が１５％以下である流動性の高い第２スラリー層が形成され、この流動性の高い水和物スラリーをＴＢＡＢ配管内に供給することができる。
【００５９】
図３では、第１輸送配管１０１ａの入口における水和物スラリーの濃度、供給流量と配管内の圧力損失の上昇を示している。図３に示すように、水和物スラリーの生成を開始した初期段階においては、いずれの流量条件においても、ＴＢＡＢ輸送配管１０１内の圧力損失は一定である。水和物スラリーの生成が進行し、第１輸送配管１０１ａの入口における水和物スラリーの濃度が１０％を超えると、ＴＢＡＢ輸送配管１０１内の圧力損失が上昇する。この場合、ＴＢＡＢ輸送配管内の水溶液／水和物流量が５ｋｇ／ｍｉｎの状態での配管内の圧力損失の上昇が、ＴＢＡＢ輸送配管内の水溶液／水和物流量が１５ｋｇ／ｍｉｎの状態での配管内の圧力損失の上昇より低い。しかし、第１輸送配管１０１ａの入口における水和物スラリーの濃度が１５％を超えると、いずれの流量条件においても配管１０１内の圧力損失の上昇が顕著になる。即ち、第１輸送配管１０１ａの入口における水和物スラリーの濃度が１５％を超えると、配管１０１内面に付着する水和物結晶の成長が著しくなり、配管詰まりが発生しやすくなる。この実施例では、第１輸送配管１０１ａの入口における水和物スラリーの濃度を１５％以下に制御して、ＴＢＡＢ輸送配管内の圧力損失の上昇や、配管の詰まりを回避することができる。また、蓄熱槽１００の下部には、水和物スラリーの固相率を４０％〜６０％の範囲の潜熱密度の高い層を維持することにより、蓄熱密度を確保することができる。
【００６０】
また、第２輸送配管１０１ｂと蓄熱槽１００との連結位置は、蓄熱槽１００の底面から所定高さ離れた位置に配置することにより、蓄熱熱交換器４００で冷却された水和物スラリーを蓄熱槽１００に戻しやすいようにしている。その一例として、高さが１６００ｍｍの蓄熱槽１００を採用し、第２輸送配管１０１ｂと蓄熱槽１００との連結位置は、蓄熱槽１００の底面から３００ｍｍ離れた位置に配置した。
【００６１】
＜水和物蓄熱式空気調和システムの構成＞
図４は、本発明の一実施形態にかかる水和物蓄熱式空気調和システム１０の概略図である。水和物蓄熱式空気調和システム１０は、主として、熱源ユニット２と、利用ユニット４と、熱源ユニット２と利用ユニット４との間に介在する水和物スラリー蓄熱装置１と、熱源ユニット２、水和物スラリー蓄熱装置１及び利用ユニット４を接続する液冷媒連絡配管７及びガス冷媒連絡配管８とを備えている。本実施形態において、液冷媒連絡配管７は、熱源ユニット２と水和物スラリー蓄熱装置１とを接続する液冷媒連絡配管７ａと、利用ユニット４と水和物スラリー蓄熱装置１とを接続する液冷媒連絡配管７ｂとを有している。また、ガス冷媒連絡配管８は、熱源ユニット２と水和物スラリー蓄熱装置１とを接続するガス冷媒連絡配管８ａと、利用ユニット４と水和物スラリー蓄熱装置１とを接続するガス冷媒連絡配管８ｂとを有している。
【００６２】
＜利用ユニット＞
利用ユニット４は、屋内の天井に埋め込みや吊り下げ等、又は、屋内の壁面に壁掛け等により設置されている。利用ユニット４は、冷媒連絡配管７ｂ、８ｂを介して水和物スラリー蓄熱装置１及び熱源ユニット２に接続されている。利用ユニット４は、主として、第２利用側膨張弁４１（第２膨張機構）と、利用側熱交換器４２とを備えている。利用側膨張弁４１は、利用側熱交換器４２の液側に接続されており、利用側冷媒回路１０ａ内を流れる冷媒を減圧することが可能な電動膨張弁である。利用側熱交換器４２は、冷媒と屋内空気との熱交換により、冷媒の蒸発器又は冷媒の凝縮器として機能する熱交換器である。
【００６３】
＜熱源ユニット＞
熱源ユニット２は、屋外等に設置されており、冷媒連絡配管７ａ、８ｂを介して水和物スラリー蓄熱装置１及び利用ユニット４に接続されている。熱源ユニット２は、主として、圧縮機２１と、四路切換弁２２と、熱源側熱交換器２３と、液側閉鎖弁２４と、ガス側閉鎖弁２５とを備えている。四路切換弁２２は、熱源側熱交換器２３を凝縮器として機能させる際（以下、冷房運転切換状態とする）には圧縮機２１の吐出側と熱源側熱交換器２３のガス側とを接続し、熱源側熱交換器２３を蒸発器として機能させる際（以下、暖房運転切換状態とする）には圧縮機２１の吸入側と熱源側熱交換器２３のガス側とを接続するように、熱源側冷媒回路１０ｃ内における冷媒の流路を切り換えることが可能な弁である。より具体的には、四路切換弁２２は、その第１ポート２２ａが圧縮機２１の吐出側に接続されており、その第２ポート２２ｂが熱源側熱交換器２３のガス側に接続されており、その第３ポート２２ｃが圧縮機２１の吸入側に接続されており、第４ポート２２ｄがガス側閉鎖弁２５に接続されており、第１ポート２２ａと第２ポート２２ｂとを接続するとともに、第３ポート２２ｃと第４ポート２２ｄとを接続（冷房運転切換状態に対応）したり、第２ポート２２ｂと第３ポート２２ｃとを接続するとともに、第１ポート２２ａと第４ポート２２ｄとを接続（暖房運転切換状態に対応）する切り換えを行うことが可能である。
【００６４】
熱源側熱交換器２３は、冷媒と熱源としての屋外空気や冷却水との熱交換により、冷媒の蒸発器及び冷媒の凝縮器として機能する熱交換器である。液側閉鎖弁２４及びガス側閉鎖弁２５は、外部の機器・配管（具体的には、冷媒連絡配管７ａ、８ａ）との接続口に設けられた弁である。液側閉鎖弁２４は、熱源側熱交換器２３に接続されている。ガス側閉鎖弁２５は、四路切換弁２２の第４ポート２２ｄに接続されている。
【００６５】
＜蓄熱側冷媒回路＞
水和物スラリー蓄熱装置１は、屋外等に設置されており、熱源ユニット２及び利用ユニット４に冷媒連絡配管７ａ、７ｂ、８ａ、８ｂを介して接続されている。蓄熱槽１００、蓄熱熱交換器４００、過冷却解消手段２００、供給ポンプ１０２については、上述の構造と同じなので、説明を省略する。
【００６６】
蓄熱側冷媒回路６０は、主として、第1管〜第６管及び第１電磁弁〜第５電磁弁とを備えている。第１管６０ａは、その両端が液冷媒連絡配管７ａ、７ｂに接続されており、第１電磁弁６２は、第１管６０ａに設けられている。
【００６７】
第２管６０ｅは、蓄熱熱交換器４００と第６管６０ｈとを接続している。第２電磁弁６６は、第２管６０ｅに設けられている。
【００６８】
第３管６０ｇは、蓄熱熱交換器４００と第５管６０ｊとの接続部と、第１管６０ａ（具体的には、第１電磁弁６２の液冷媒連絡配管７ａ側の部分）とを接続している。第３電磁弁６８は、第３管６０ｇに設けられている。
【００６９】
第４管６０ｃは、第５管６０ｊとの接続部と第7管６０ｉとの接続部と、第１管６０ａ（具体的には、第１電磁弁６２の液冷媒連絡配管７ｂ側の部分）とを接続している。蓄熱側膨張弁６４は、第４管６０ｃに設けられており、蓄熱熱交換器４００を通過する冷媒を減圧することが可能な電動膨張弁である。
【００７０】
第５管６０ｊは、その一端が蓄熱熱交換器４００及び第３管６０ｇに接続され、他端が第４管６０ｃ及び第７管６０ｉに接続されている。
【００７１】
第６管６０ｈは、その両端がガス冷媒連絡配管８ａ、８ｂに接続されており、第６電磁弁６３は、第６管６０ｈに設けられている。
【００７２】
第７管６０ｉは、その一端が蓄熱熱交換器４００及び第２管６０ｅに接続され、他端が第５管６０ｊ及び第４管６０ｃに接続されている。
【００７３】
＜水和物蓄熱式空気調和システムの運転＞
（冷熱を利用しない通常の運転）
このような水和物蓄熱式空気調和システム１においては、図４に示すように、四路切換弁２２を冷房運転切換状態にして、圧縮機２１から吐出される冷媒を、熱源側熱交換器２３において凝縮させて利用側膨張弁４１によって減圧した後に、利用側熱交換器４２において蒸発させて、再び、圧縮機２１に戻すことで、冷房運転を行うことができる。
【００７４】
（蓄冷運転と冷熱利用冷房運転）
水和物蓄熱式空気調和システム１においては、蓄熱槽１００内に水和物を生成して冷熱を蓄える蓄冷運転と、蓄熱槽１００内の水和物の冷熱を利用する蓄冷利用冷房運転とを切り換えて行うことが可能である。ここで、蓄冷運転は図５に示すように、圧縮機２１から吐出される冷媒を熱源側熱交換器２３において凝縮させ、蓄熱側膨張弁６４によって減圧し、その後蓄熱熱交換器４００において蒸発させることによって蓄熱槽１００内に水和物を生成して冷熱を蓄える。また冷熱利用冷房運転は、図６に示すように、圧縮機２１から吐出される冷媒を熱源側熱交換器２３において凝縮させ、さらに蓄熱熱交換器４００において冷却し、利用側膨張弁４１によって減圧した後、利用側熱交換器４２において蒸発させることによって、蓄熱槽１００内の水和物の冷熱を利用する運転である。ここで、図５に示す蓄冷運転においては、四路切換弁２２は冷房運転切換状態、利用側膨張弁４１、及び第３電磁弁６８は全閉、そして、第１電磁弁６２及び第２電磁弁６６、第５電磁弁６７ｊ、蓄熱側膨張弁６４は全開状態にして、蓄熱熱交換器４００を冷媒の蒸発器として機能させる回路構成にしておく必要がある。また、図６に示す冷熱利用冷房運転においては、四路切換弁２２は冷房運転切換状態、第１電磁弁６２及び第２電磁弁６６は全閉、そして、第３電磁弁６８、第６電磁弁６３、第７電磁弁６５及び蓄熱側膨張弁６４は全開状態にして、蓄熱熱交換器４００を冷媒の過冷却器として機能させる回路構成にしておく必要がある。
【００７５】
蓄冷運転は、例えば、夜間の安価な電気を用いて蓄熱槽１００に水和物を生成して冷熱を蓄える運転である。まず、蓄冷運転時の動作について、図５を用いて説明する。ここで、図５は、空気調和装置の蓄冷運転における動作を説明する概略の冷媒回路図である。蓄冷運転時の冷媒の流れについては、図５の冷媒回路に付された矢印を参照されたい。具体的には、四路切換弁２２が冷房運転切換状態（図５に示される四路切換弁２２が実線で示された状態）に切り換えられて、熱源側熱交換器２３が凝縮器として機能するようになっている。また、利用側膨張弁４１及び第３電磁弁６８は全閉状態にし、第１電磁弁６２及び第２電磁弁６６は全開状態にして、蓄熱熱交換器４００が冷媒の蒸発器として機能するようになっている。そして、蓄熱側膨張弁６４は、例えば、冷蓄熱熱交換器４００の出口側における冷媒の過熱度に基づいて開度制御が行われている。
【００７６】
このような構成において、圧縮機２１の吸入側の低圧のガス冷媒は、圧縮機２１において圧縮され吐出されて高圧のガス冷媒になり、四路切換弁２２に送られる。そして、四路切換弁２２に送られた高圧のガス冷媒は、四路切換弁２２の第１ポート２２ａ及び第２ポート２２ｂを通じて、熱源側熱交換器２３に送られる。そして、熱源側熱交換器２３に送られた高圧のガス冷媒は、熱源側熱交換器２３において、熱源としての屋外空気や冷却水と熱交換を行うことによって凝縮する。そして、熱源側熱交換器２３において凝縮した冷媒は、液側閉鎖弁２４、３４を通じて液冷媒連絡配管７ａに送られて合流し、水和物スラリー蓄熱装置１の蓄熱側冷媒回路６０に送られる。
【００７７】
そして、水和物スラリー蓄熱装置１に送られた冷媒は、第１電磁弁６２を通じて蓄熱側膨張弁６４に送られて減圧される。この蓄熱側膨張弁６４によって減圧された冷媒は、蓄熱熱交換器４００において蓄熱槽１００から送られたＴＢＡＢ水溶液との間で熱交換を行って蒸発するとともに、蓄熱槽１００から送られてきたＴＢＡＢ水溶液を冷却して水和物を生成する。また蒸発した冷媒は、第２電磁弁６６を通じてガス冷媒連絡配管８ａに送られて、熱源ユニット２に送られる。
【００７８】
一方、熱源ユニット２に送られた冷媒は、ガス側閉鎖弁２５と、四路切換弁２２の第４ポート２２ｄ及び第３ポート２２ｃを通じて、圧縮機２１の吸入側に戻される。このようにして、蓄冷運転における冷媒循環動作が行われて、蓄熱槽１００内に水和物を生成して冷熱を蓄えるようにしている。
【００７９】
この蓄冷運転時において、制御部５００により供給ポンプ１０２の流量を制御して、蓄熱槽の第１輸送配管１０１ａの高さと対応する位置に配置された第１センサ１０５により検出される固相率が１５％以下に維持し、蓄熱槽の第２輸送配管１０１ｂの高さと対応する位置に配置されている第２センサ１０６により検出される固相率が４０％以上に維持するように制御する。
【００８０】
＜冷熱利用冷房運転＞
冷熱利用冷房運転は、例えば、昼間のような電力需要のピーク時に、蓄熱槽１００に生成された水和物の冷熱を利用する冷房運転である。次に、冷熱利用冷房運転時の動作について、図６を用いて説明する。冷熱利用冷房運転時には、四路切換弁２２が冷房運転切換状態に切り換えられて、熱源側熱交換器２３が凝縮器として機能するようになっている。また、第１電磁弁６２及び第２電磁弁６６は全閉状態にし、蓄熱側膨張弁６４及び第３電磁弁６８は全開状態にして、蓄熱熱交換器４００が冷媒の過冷却器として機能するようになっている。そして、利用側膨張弁４１は、例えば、利用側熱交換器４２の出口側における冷媒の過熱度が一定になるように開度制御が行われている。このような構成において、圧縮機２１の吸入側の低圧のガス冷媒は、圧縮機２１において圧縮され吐出されて高圧のガス冷媒になり、四路切換弁２２に送られる。そして、四路切換弁２２に送られた高圧のガス冷媒は、四路切換弁３２の第１ポート２２ａ及び第２ポート２２ｂを通じて、熱源側熱交換器２３に送られる。そして、熱源側熱交換器２３に送られた高圧のガス冷媒は、熱源側熱交換器２３において、熱源としての屋外空気や冷却水と熱交換を行うことによって凝縮する。そして、熱源側熱交換器２３において凝縮した冷媒は、液側閉鎖弁２４を通じて液冷媒連絡配管７ａに送られて合流し、水和物スラリー蓄熱装置１の蓄熱側冷媒回路６０に送られる。
【００８１】
そして、水和物スラリー蓄熱装置１に送られた冷媒は、第３電磁弁６８を通じて蓄熱熱交換器４００に送られる。蓄熱熱交換器４００に送られた冷媒は、蓄熱熱交換器４００において蓄熱槽１００内の水和物との間で熱交換を行って過冷却されるとともに、蓄熱槽１００内の水和物を加熱し、蓄熱側膨張弁６４を通じて、液冷媒連絡配管７ｂに送られて、利用ユニット４に送られる。
【００８２】
利用ユニット４に送られた冷媒は、利用側膨張弁４１に送られて減圧される。この利用側膨張弁４１によって減圧された冷媒は、利用側熱交換器４２において屋内空気との間で熱交換を行って蒸発するとともに、屋内空気を冷却する。この蒸発した冷媒は、ガス冷媒連絡配管８ｂに送られて合流し、水和物スラリー蓄熱装置１の蓄熱側冷媒回路６０（具体的には、第６管６０ｈ）を通じて、ガス冷媒連絡配管８ａに送られる。
【００８３】
そして、熱源側の冷媒は、ガス側閉鎖弁２５、３５と、四路切換弁２２の第４ポート２２ｄ及び第３ポート２２ｃを通じて、圧縮機２１の吸入側に戻される。このようにして、冷熱利用冷房運転における冷媒循環動作が行われて、蓄熱槽１００内の水和物の冷熱を利用するようにしている。
【００８４】
この冷熱利用運転時において、蓄熱槽１００の上部に溜められた固相率が１５％以下の水和物スラリーは、第１輸送配管１０１ａを介して供給ポンプ１０２により蓄熱熱交換器４００に輸送され、冷媒配管３０２内の冷媒と熱交換が行われる。ここで、制御部５００による供給ポンプ１０２の流量を制御して、第１輸送配管１０１ａの高さと対応する位置に配置された第１センサ１０５により検出される固相率が１５％以下に維持することで、ＴＢＡＢ輸送配管内の圧力損失の上昇を抑制することができる。
【００８５】
ここでは、圧縮機２１において圧縮され吐出された高圧のガス冷媒は、熱源側熱交換器２３で凝縮され、それから蓄熱熱交換器で過冷却される運転について述べた。また、熱源側熱交換器２３での凝縮過程を省き、蓄熱熱交換器で凝縮させる運転方法も考えられる。
【産業上の利用可能性】
【００８６】
本発明を利用すれば、蓄熱槽の上方に流動性の高い希薄層を、下方に潜熱密度の高い濃厚層を生成させることができる。また、この方法で生成したＴＢＡＢ水和物を水和物蓄熱式空気調和システムに利用することができる。
【符号の説明】
【００８７】
１  水和物スラリー蓄熱装置
２  熱源ユニット
４  利用ユニット
１０  水和物蓄熱式空気調和システム
１００  蓄熱槽
１０１  ＴＢＡＢ配管
１０１ａ  第１輸送配管
１０１ｂ  第２輸送配管
１０５    第１固相率センサ
１０６    第２固相率センサ
３００  冷熱源
４００  蓄熱熱交換器
５００  制御部
【先行技術文献】
【特許文献】
【００８８】
【特許文献１】中国特許第３３９１２５４号
【図１】
2014037960.tif 000003
【図２】
2014037960.tif 000004
【図３】
2014037960.tif 000005
【図４】
2014037960.tif 000006
【図５】
2014037960.tif 000007
【図６】
2014037960.tif 000008